(57)【要約】本発明は、構成要素又はモジュールを保護する方法及びデバイスに関し、その方法及びデバイスは、構成要素又はモジュールの機械的な耐用年数を伸ばすことさえも可能である。モジュールから板への接続性は、通常、Ｌａｎｄ  Ｇｒｉｄ  Ａｒｒａｙ（ＬＧＡ）を介してのように、パッドを用いて実現され、そこで、モジュールの内側域には、板の対応する接続ポイントへの電気的接続性を指定されたパッドが設けられる。構成要素又はモジュールを保護し、構成要素又はモジュールの機械的耐用年数を伸ばすために、構成要素又はモジュール１の外側域には、犠牲用パッド域又は犠牲用パッド輪３を形成するパッドの外側周囲列が設けられ、そこでは、内側パッド２を壊さずに個々のパッド又は複数のパッドを犠牲にすることができるが、この内側パッド２は、構成要素又はモジュールの犠牲用パッド域又はパッド輪の内側に設けられる板の対応する接続点への電気的接続性のために指定される。
2006520542.tif 000002
【特許請求の範囲】
【請求項１】
構成要素又はモジュールを、対応する接触点の付いた板に接続するパッドを備える、前記構成要素又は前記モジュールを保護する方法であって、前記構成要素又は前記モジュールに、前記板の接触点と接続されるように設けられた内側パッドの外側に配置されるパッドから構成される犠牲用外側パッド域又は犠牲用パッド輪を設けることを特徴とし、前記内側パッドが、前記犠牲用パッド域又は犠牲用パッド輪によって保護され、前記内側のパッドがモジュールの機械的耐用年数によって壊される前に、前記パッド域又はパッド輪の前記１つ又は複数のパッドが壊される方法。
【請求項２】
構成要素又はモジュールを、対応する接触点の付いた板に接続するパッドを備える、前記構成要素又は前記モジュールを保護するデバイスであって、犠牲用外側パッド域又は犠牲用外側パッド輪（３；６；９）が、前記構成要素又は前記モジュール（１；４；７）の内側パッド（２；５：８）の外側に設けられることを特徴とし、前記内側パッドが、前記犠牲用パッド域又は犠牲用パッド輪（３；６；９）によって保護されるように設けられ、前記内側のパッドがモジュールの機械的耐用年数によって壊される前に、前記パッド域又はパッド輪の前記１つ又は複数のパッドが壊されることを特徴とするデバイス。
【請求項３】
前記犠牲用パッド域又は犠牲用パッド輪（１２）のうち少なくとも１つのパッド（１１）が、前記輪を反対称にするために、前記パッド輪から取り外され、前記構成要素又は前記モジュールの使用者が、前記構成要素又は前記モジュール（１０）を前記板に正しく配置することができ、感知可能信号を、前記板の頂層で、前記構成要素又は前記モジュールのパッド（１３）に経路付けすることができることを特徴とする請求項２に記載のデバイス。
【請求項４】
前記犠牲用パッド域又は犠牲用パッド輪（３；６；９）の少なくとも１つのパッドが、検出デバイスに接続されるように設けられることを特徴とする、請求項２に記載のデバイス。
【請求項５】
前記犠牲用パッド域又は犠牲用パッド輪（３；６；９）のパッドが、接地された遮蔽保護器の一部を形成するように設けられることを特徴とする、請求項２に記載のデバイス。
【発明の詳細な説明】
【技術分野】
【０００１】
本発明は、構成要素又はモジュールを保護する方法及びデバイスに関し、その方法及びデバイスは、構成要素又はモジュールの機械的な耐用年数を伸ばすことさえも可能である。モジュールから板への接続性は、通常、Ｌａｎｄ  Ｇｒｉｄ  Ａｒｒａｙ（ＬＧＡ）を介してのように、パッドを用いて実現され、そこで、モジュールの内側域には、板の対応する接続ポイントへの電気的接続性を指定されたパッドが設けられる。
【背景技術】
【０００２】
モジュールから板への接続性は、通常モジュール上のパッドを用いて達成され、そのパッドは、モジュールがボードに組み立てられる際、板上のリード又は接触線と接触するように設けられる。接続されたパッドは検査するのが困難であり、パッドを参照してモジュールの機械的耐用年数を判定又は推定することはさらに困難である。
【発明の開示】
【課題を解決するための手段】
【０００３】
構成要素又はモジュールを保護し、構成要素又はモジュールの機械的耐用年数を伸ばすために、構成要素又はモジュールの外側域には、犠牲用パッド域又は犠牲用パッド輪を形成するパッドの外側周囲列が設けられるが、そこでは、パッドを壊さずに個々のパッド又は複数のパッドを犠牲にすることができ、それらは構成要素又はモジュール上の犠牲用パッド域又は犠牲用パッド輪の内側に設けることができる。モジュールの機械的耐用年数は、通常、モジュールの温度変化迅速試験を実行することによって測定され、最終的に、モジュール及びそのパッドの形状変化が検出され、登録される。構成要素又はモジュールに犠牲用パッド又は犠牲用パッド輪を使用し、温度変化迅速試験を実行すると、構成要素又はモジュールの損傷を検出することがより容易になるが、それは、犠牲用パッド域又は犠牲用パッド輪の１つ又は複数のパッドが最初に壊され、パッド域又はパッド輪のパッドのどのような変形又は破裂も、構成要素又はモジュールの品質測定として、容易に検出し、登録することができるからである。
【実施例】
【０００４】
図１に、好ましい長方形の構成要素又はモジュール１を示すが、ここでは６×９の内側パッド２が、４本のパッド外側列：２×１０＋２×７から成る外側パッド域又は外側パッド輪３によって取り囲まれる。内側パッド２は、通常のパッドであるように設けられ、それらは板の対応する接触点の付いた板に接続される役割を果たし、構成要素又はモジュールの各パッドそれぞれが、板の対応する接触点との接触を可能にして、構成要素又はモジュールと板の間で電気信号を変換する。外側パッド域又はパッド輪３は、犠牲用パッド域又はパッド輪を構成し、通常電気接触の役目を果たさないが、このパッド域又はパッド輪のいずれのパッドも、追加として、生産ラインで単一のテスト・ポイント／複数のテスト・ポイントとして使用することができ、検出デバイスに接続することができ、そこでは、犠牲用パッド域又は犠牲用パッド輪の個々のパッドは、内部テスト・ポイントとして使用することができ、ほとんどの場合、それらがあっても最終使用者には使用することができない。犠牲用パッド域又はパッド輪のパッドは、開回路として壊すことができ、ほとんどの場合、これが構成要素又はモジュールの動作をもたらすことはない。
【０００５】
図２では円形構成要素又はモジュール４を示すが、ここでは２６個の内側パッド５が、外側パッド域又はパッド輪６によって取り囲まれる。内側パッド５は通常のパッドであるように設けられ、それらは、板の対応する接触点によって、板に接続される役目を果たし、構成要素又はモジュールの各パッド５それぞれが、板の対応する接触点との接触を可能にして、構成要素又はモジュールと板の間で電気信号を変換する。外側パッド域又はパッド輪６は、犠牲用パッド域又はパッド輪を構成し、通常電気的接触の役目を果たさないが、このパッド域又はパッド輪のいずれのパッドも、さらに、生産ラインで単一のテスト・ポイント／複数のテスト・ポイントとして使用することができ、犠牲用パッド域又は犠牲用パッド輪の個々のパッドは、内部テスト・ポイントとして使用することができ、ほとんどの場合、それらがあっても最後の使用者には使用することができない。犠牲用パッド域又はパッド輪のパッドは、開回路として壊すことができ、ほとんどの場合、これが構成要素又はモジュールの動作を実行することはない。
【０００６】
図３では長方形の構成要素又はモジュール７を示すが、ここでは４個の内側パッド８だけが４８個のパッド９から成る外側パッド域によって取り囲まれる。内側パッド８は通常のパッドであるように設けられ、それらは、板の対応する接触点によって、板に接続される役目を果たし、構成要素又はモジュールの各パッドそれぞれが、板の対応する接触点との接触を可能にして、構成要素又はモジュールと板の間で電気信号を変換する。外側パッド域又はパッド輪９は、犠牲用パッド域を構成し、通常電気的接触の役目を果たさないが、このパッド域のいずれのパッドも、さらに、生産ラインで単一のテスト・ポイント／複数のテスト・ポイントとして使用することができ、犠牲用パッド域の個々のパッドは、内部テスト・ポイントとして使用することができ、ほとんどの場合、それらがあっても最終使用者には使用することができない。犠牲用パッド域のパッドは、開回路として壊すことができ、ほとんどの場合、これが構成要素又はモジュールの動作を実行することはない。
【０００７】
構成要素又はモジュールの機械的耐用年数は、犠牲用パッド域又はパッド輪の存在によって伸びる。犠牲用パッド域又はパッド輪は第一に、内側接続ポイントに、水平負荷及び／又は垂直負荷に対する機械的保護の機能を与える。温度変化迅速試験が実施される時、外側パッド域又はパッド輪の諸部分は、第二に、パッド域又はパッド輪の内側における内側部分のいずれの部分も壊される前に、構成要素又はモジュールの最初に壊される部分となる。外側パッド域又はパッド輪を用いることによって、疲労試験又は実行された温度変化迅速試験での検出及び登録だけで、構成要素又はモジュールの機械的耐用年数を判定することが容易になり、犠牲用パッド域又はパッド輪の最初のパッドが壊された時、コンポーネント又はモジュールの極めて明確な耐用年数を判定することができる。テストでは、構成要素又はモジュールのパッド域又はパッド輪のいずれかの隅部のパッドがまず壊され、次いでそれに隣接して配置されたパッドが壊され、以下同様であるが、それは、機械応力が、構成要素又はモジュールの隅部で最大になるからである。
【０００８】
パッド域又はパッド輪の全ての形成パッドが接地される犠牲用パッド域又はパッド輪を用いることによって、接地された遮蔽保持器を実現することができ、これが、パッド域又はパッド輪の内側に配置された構成要素又はモジュールの電子回路及び電子要素を電気的に保護する。構成要素又はモジュール上に何百もの通常パッドであって、その外側パッドが構成要素又はモジュールの犠牲用パッド域又はパッド輪である役目を果たすパッドを作る際、列に個々に配置された多数のパッドから構成される犠牲用パッド域又はパッド輪を作ることは、板上の金属バーと比較して、さらにより経済的で、容易である。機械的保護は、他のパッドと共に、容易に作ることができる。板に接続された構成要素又はモジュールの犠牲用パッド域又はパッド輪の外側パッドを用いることによって、パッド域又はパッド輪の内側の接続されたパッドを視覚的に検査して、内側の接続されたパッドの外側に、均一なパッド輪又はバーがあるか否かを基準にして、接続の品質を判定することさえも可能である。パッド域又はパッド輪のパッドの品質が判定できる場合、内側パッドの品質も、パッド域又はパッド輪のパッドに対する観察に基づいて推定することができる。パッド域又はパッド輪がないと、内側パッドの接続品質を判定又は推定することが困難である。
【０００９】
高周波モジュールの用途では、アンテナ引込口の反射減衰量の測定によって、犠牲用パッド域又はパッド輪の状態を監察することができる。犠牲用パッド域又はパッド輪は、地面に接続することができ、犠牲用パッド域又はパッド輪が減少し始めると、これを、アンテナ引込口の増大した反射減衰量によって監察することができ、構成要素又はモジュールの損傷の危険が分かる。
【００１０】
構成要素又はモジュール１０を板に正しく配置するために、単一のパッド１１を犠牲用パッド域又はパッド輪１２から取り外すことができ、図４を参照すると、それによって接地された遮蔽保護器に本質的に影響を及ぼすことはない。反対称性によって、構成要素又はモジュールの使用者は、デバイスを１８０度誤って配置することはできない。反対称性、及び犠牲用パッド域又はパッド輪から取り外されたパッドによって、ＲＦ及びバランス・データ・ラインなどの感知可能モジュール信号の経路を、幾層も通って経路付けする必要がない。感知可能信号は、板の頂層で、直接、取り付けられたモジュールの接続ポイント又はパッド１３へと経路付けすることができる。
【００１１】
構成要素又はモジュールを板に組み立てる時、犠牲用パッド域又はパッド輪の目的は、コンポーネント又はモジュールの機械的耐用年数を伸ばすことにある。機械的耐用年数は通常、温度変化迅速試験を実行することによって測定される。耐用年数テスト環境で、特定回数の温度サイクルを経ると、パッド域又はパッド輪の外側区域が最初に壊れ始める。これが構成要素又はモジュールの性能を有効にすることはないが、それは、全ての電気相互接続が、ＬＧＡの中央にあるからである。犠牲用パッド域又はパッド輪を使用するというコンセプトは、構成要素又はモジュールの機械的耐用年数を伸ばし、例えば生産ラインで、検出デバイスと併せてさらに幾つかのテスト・ポイントをもたらすことができる。
【００１２】
本発明は多くの形に変形できることが明白である。そのような変化形態は、本発明の範囲から逸脱すると見なすべきではない。当業者に自明となるそのような全ての修正形態も、添付特許請求の範囲内に含まれることを意図するものである。
【図面の簡単な説明】
【００１３】
【図１】多数の接続部を備えた長方形の構成要素又はモジュールの底面図であり、内側パッドは無色／白、外側パッドは有色／灰色であり、本発明によって犠牲用パッド域又は犠牲用パッド輪となるように構成される。
【図２】多数の接続部を備えた円形の構成要素又はモジュールの底面図であり、内側パッドは無色／白、外側パッドは有色／灰色であり、本発明によって犠牲用パッド域又は犠牲用パッド輪となるように構成される。
【図３】少数の接続部を備えた長方形の構成要素又はモジュールの底面図であり、内側パッドは無色／白、外側パッドは有色／灰色であり、本発明によって犠牲用パッド域又は犠牲用パッド輪となるように構成される。
【図４】多数の接続部を備えた長方形の構成要素又はモジュールの底面図であり、内側パッドは無色／白、外側パッドは有色／灰色であり、本発明によって犠牲用パッド域又は犠牲用パッド輪となるように構成され、少なくとも１つのパッドがパッド域又はパッド輪から取り外されて、反対称性の犠牲用のパッド域又はパッド輪を形成する。
【図１】
2006520542.tif 000003
【図２】
2006520542.tif 000004
【図３】
2006520542.tif 000005
【図４】
2006520542.tif 000006
【国際調査報告】
2006520542.tif 000007
2006520542.tif 000008